(57)【特許請求の範囲】
【請求項１】
遠距離または中距離に対応する屈折力を有する第１屈折部と、近距離に対応する屈折力を有する第２屈折部と、前記第１屈折部と前記第２屈折部との間に設けられ前記第１屈折部から前記第２屈折部までの屈折力を連続的に接続する中間部と、を有する眼鏡レンズの設計方法であって、
前記眼鏡レンズにおいて、装用者が前記遠距離または前記中距離と前記近距離との間の中間距離にある対象物を見る際の視線方向に対応する前記眼鏡レンズの位置を決定するための第１パラメータと、前記位置に付加される加入度を決定するための第２パラメータとに基づいて、前記加入度が前記位置において付加されるように前記眼鏡レンズを設計し、
前記第１パラメータおよび前記第２パラメータから、前記眼鏡レンズのフィッティングポイントにおける加入度が算出される眼鏡レンズの設計方法。
【請求項２】
請求項１に記載の眼鏡レンズの設計方法において、
前記第１パラメータとは、前記視線方向に基づく値、または、前記眼鏡レンズおよび前記視線方向が交わる点と前記眼鏡レンズのフィッティングポイントとの距離に基づく値である眼鏡レンズの設計方法。
【請求項３】
請求項１または２に記載の眼鏡レンズの設計方法において、
前記第２パラメータとは、前記眼鏡レンズの全体の加入度に対する前記位置に付加される加入度の比率、前記装用者が前記位置において見たい距離、前記位置に付加される加入度、および前記装用者の調節力の値のいずれかである眼鏡レンズの設計方法。
【請求項４】
請求項３に記載の眼鏡レンズの設計方法において、
前記調節力の値は、前記装用者の調節力の実測値、前記装用者の年齢から算出された値、および装用者の処方加入度から算出された値のいずれかである眼鏡レンズの設計方法。
【請求項５】
請求項１から４までのいずれか一項に記載の眼鏡レンズの設計方法において、
前記対象物は、パーソナルコンピュータのディスプレイである眼鏡レンズの設計方法。
【請求項６】
請求項１から５までのいずれか一項に記載の眼鏡レンズの設計方法において、
前記装用者の調節力の値に基づいて、前記第１パラメータおよび第２パラメータから、前記フィッティングポイントにおける加入度を算出し、
前記調節力の値は、前記装用者の調節力の実測値、前記装用者の年齢から算出された値、および装用者の処方加入度から算出された値のいずれかである眼鏡レンズの設計方法。
【請求項７】
請求項１から６までのいずれか一項に記載の眼鏡レンズの設計方法により前記眼鏡レンズを設計する眼鏡レンズの製造方法。
【請求項８】
遠距離または中距離に対応する屈折力を有する第１屈折部と、近距離に対応する屈折力を有する第２屈折部と、前記第１屈折部と前記第２屈折部との間に設けられ前記第１屈折部から前記第２屈折部までの屈折力を連続的に接続する中間部と、を有する眼鏡レンズを受注する眼鏡レンズ受注装置であって、
前記眼鏡レンズにおいて、装用者が前記遠距離または前記中距離と前記近距離との間の中間距離にある対象物を見る際の視線方向に対応する前記眼鏡レンズの位置を決定するための第１パラメータについて、任意に指定された値を受信する受信部と、
前記受信部により受信された前記第１パラメータおよび、前記位置に付加される加入度を決定するための第２パラメータに基づいて眼鏡レンズを設計する設計部と、
を備え、
前記設計部は、前記第１パラメータおよび前記第２パラメータから、前記眼鏡レンズのフィッティングポイントにおける加入度を算出する眼鏡レンズ受注装置。
【請求項９】
請求項８に記載の眼鏡レンズ受注装置と、
前記第１パラメータを前記眼鏡レンズ受注装置に送信する眼鏡レンズ発注装置と
を備える眼鏡レンズ提供システム。
【請求項１０】
コンピュータに、遠距離または中距離に対応する屈折力を有する第１屈折部と、近距離に対応する屈折力を有する第２屈折部と、前記第１屈折部と前記第２屈折部との間に設けられ前記第１屈折部から前記第２屈折部までの屈折力を連続的に接続する中間部と、を有する眼鏡レンズを設計する設計処理を実行させる眼鏡レンズ設計プログラムであって、
前記設計処理は、
前記眼鏡レンズにおいて、装用者が前記遠距離または前記中距離と前記近距離との間の中間距離にある対象物を見る際の視線方向に対応する前記眼鏡レンズの位置を決定するための第１パラメータと、前記位置に付加される加入度を決定するための第２パラメータとに基づいて、前記加入度が前記位置において付加されるように前記眼鏡レンズを設計し、
前記第１パラメータおよび前記第２パラメータから、前記眼鏡レンズのフィッティングポイントにおける加入度を算出する眼鏡レンズ設計プログラム。 
【発明の詳細な説明】
【技術分野】
【０００１】
本発明は、眼鏡レンズの設計方法と、眼鏡レンズの製造方法と、眼鏡レンズ受注装置と、眼鏡レンズ提供システムと、眼鏡レンズ設計プログラムとに関する。 
【背景技術】
【０００２】
遠距離または中距離に対応する屈折力を有する第１屈折領域と、近距離に対応する屈折力を有する第２屈折領域と、第１屈折領域と第２屈折領域との間に設けられ第１屈折領域から第２屈折領域までの屈折力を連続的に接続する中間部と、を有する累進屈折力レンズが知られている。特許文献１では、フィッティングポイント（アイポイントとも呼ばれる）における加入割合を累進帯長さ全体での加入に対して１３〜３７％とし、所定の関係式で示された加入勾配が設定される累進屈折力レンズが記載されている。しかしながら、累進屈折力レンズ上で、任意の位置での中間距離での見え方について、装用者ごとの個別のニーズを満たすことができない。
【先行技術文献】
【特許文献】
【０００３】
【特許文献１】特開第２００５−８４２６９号
【発明の概要】
【０００４】
本発明の第１の態様によると、眼鏡レンズの設計方法は、遠距離または中距離に対応する屈折力を有する第１屈折部と、近距離に対応する屈折力を有する第２屈折部と、前記第１屈折部と前記第２屈折部との間に設けられ前記第１屈折部から前記第２屈折部までの屈折力を連続的に接続する中間部と、を有する眼鏡レンズの設計方法であって、前記眼鏡レンズにおいて、装用者が前記遠距離または前記中距離と前記近距離との間の中間距離にある対象物を見る際の視線方向に対応する前記眼鏡レンズの位置を決定するための第１パラメータと、前記位置に付加される加入度を決定するための第２パラメータとに基づいて、前記加入度が前記位置において付加されるように前記眼鏡レンズを設計し、前記第１パラメータおよび前記第２パラメータから、前記眼鏡レンズのフィッティングポイントにおける加入度が算出される。
本発明の第２の態様によると、眼鏡レンズの製造方法は、第１の態様の眼鏡レンズ設計方法により前記眼鏡レンズを設計する。
本発明の第３の態様によると、眼鏡レンズ受注装置は、遠距離または中距離に対応する屈折力を有する第１屈折部と、近距離に対応する屈折力を有する第２屈折部と、前記第１屈折部と前記第２屈折部との間に設けられ前記第１屈折部から前記第２屈折部までの屈折力を連続的に接続する中間部と、を有する眼鏡レンズを受注する眼鏡レンズ受注装置であって、前記眼鏡レンズにおいて、装用者が前記遠距離または前記中距離と前記近距離との間の中間距離にある対象物を見る際の視線方向に対応する前記眼鏡レンズの位置を決定するための第１パラメータについて、任意に指定された値を受信する受信部と、前記受信部により受信された前記第１パラメータおよび、前記位置に付加される加入度を決定するための第２パラメータに基づいて眼鏡レンズを設計する設計部と、を備え、前記設計部は、前記第１パラメータおよび前記第２パラメータから、前記眼鏡レンズのフィッティングポイントにおける加入度を算出する。
本発明の第４の態様によると、眼鏡レンズ提供システムは、第３の態様の眼鏡レンズ受注装置と、前記第１パラメータを前記眼鏡レンズ受注装置に送信する眼鏡レンズ発注装置とを備える。
本発明の第５の態様によると、眼鏡レンズ設計プログラムは、コンピュータに、遠距離または中距離に対応する屈折力を有する第１屈折部と、近距離に対応する屈折力を有する第２屈折部と、前記第１屈折部と前記第２屈折部との間に設けられ前記第１屈折部から前記第２屈折部までの屈折力を連続的に接続する中間部と、を有する眼鏡レンズを設計する設計処理を実行させる眼鏡レンズ設計プログラムであって、前記設計処理は、前記眼鏡レンズにおいて、装用者が前記遠距離または前記中距離と前記近距離との間の中間距離にある対象物を見る際の視線方向に対応する前記眼鏡レンズの位置を決定するための第１パラメータと、前記位置に付加される加入度を決定するための第２パラメータとに基づいて、前記加入度が前記位置において付加されるように前記眼鏡レンズを設計し、前記第１パラメータおよび前記第２パラメータから、前記眼鏡レンズのフィッティングポイントにおける加入度を算出する。
【図面の簡単な説明】
【０００５】
【図１】一実施形態の累進屈折力レンズの概要を示す図である。
【図２】一実施形態の累進屈折力レンズの加入度特性を示す図である。
【図３】一実施形態の眼鏡レンズ提供システムの構成を示す図である。
【図４】一実施形態の累進屈折力レンズを提供する手順を説明するフローチャートである。
【図５】発注画面の一例を示す図である。
【図６】一実施形態の累進屈折力レンズを設計する手順を説明するフローチャートである。
【図７】一実施形態の累進屈折力レンズの加入度の変化例を示す図である。
【図８】プログラムの供給態様の例を示す図である。
【発明を実施するための形態】
【０００６】
以下では、適宜図面を参照しながら、一実施形態の眼鏡レンズの設計方法と、眼鏡レンズの製造方法と、眼鏡レンズ発注装置と、眼鏡レンズ提供システムと、眼鏡レンズ発注プログラムと、眼鏡レンズ受注装置と、眼鏡レンズ設計プログラム等について説明する。以下の記載において、屈折力の単位は、特に言及しない場合にはディオプター（Ｄ）によって表されるものとする。また、以下の説明において、累進屈折力レンズの「上方」、「下方」、「上部」、「下部」等と表記する場合は、当該累進屈折力レンズが眼鏡用に加工される場合において眼鏡を装用したときのレンズの位置関係に基づくものとする。以下の各図面においても、レンズの位置関係（上下左右）は、紙面における位置関係（上下左右）と一致するものとする。
【０００７】
図１は、本実施形態の設計方法で設計する累進屈折力レンズの構成を示す概念図である。累進屈折力レンズＬＳは、眼鏡用フレームの形状に合わせてレンズを加工する前の状態（玉摺り加工前の状態）であり、平面視で円形に形成されている。累進屈折力レンズＬＳは、図中上側が装用時において上方に配置されることとなり、図中下側が装用時において下方に配置されることとなる。累進屈折力レンズＬＳは、遠用部Ｆと、近用部Ｎと、中間部Ｐとを有している。
【０００８】
遠用部Ｆは、累進屈折力レンズＬＳの上部に配置されており、当該累進屈折力レンズＬＳが眼鏡用に加工された後には遠距離および／または中距離に対応する屈折力を有する。近用部Ｎは、累進屈折力レンズＬＳの下部に配置されており、当該累進屈折力レンズＬＳが眼鏡用に加工された後には近距離に対応する屈折力を有する。中間部Ｐは、遠用部Ｆと近用部Ｎとの間に設けられ遠用部Ｆから近用部Ｎまでの屈折力を連続的に接続する。ここで、例えば遠距離とは２．０ｍ以上の距離に対応し、近距離とは０．５ｍ未満の距離に対応し、中距離は、遠距離と近距離との間の長さの距離に対応する。
なお、遠用部Ｆは、中距離に対応する屈折力の領域を持たず、遠距離に対応する屈折力の領域のみで構成してもよい。このように、遠用部Ｆと近用部Ｎとに割り当てる屈折力の範囲は適宜調整することができる。
【０００９】
累進屈折力レンズＬＳは、複数の基準点を有している。このような基準点として、例えば、図１に示すように、フィッティングポイントＦＰ、遠用基準点ＦＶ、近用基準点ＮＶ等が挙げられる。フィッティングポイントＦＰは、装用者がレンズを装用する時の基準点となる。遠用基準点ＦＶは、レンズの遠用度数を測定する測定基準点となる。近用基準点ＮＶは、近用部Ｎにおいてレンズの近用度数を測定する測定基準点となる。遠用基準点ＦＶでの屈折力は、例えば、処方により指定された遠用度数（以下、遠用処方度数と記載する）に基づいて設定される。近用基準点ＮＶでの屈折力は、例えば、処方により指定された屈折力の加入度（以下、処方加入度と記載する）と遠用処方度数（屈折力）とに基づいて設定される。なお、設計の際の基準線を、遠用基準点ＦＶ、フィッティングポイントＦＰおよび近用基準点ＮＶをそれぞれ互いに結ぶようにとる。
【００１０】
本実施形態に係る累進屈折力レンズＬＳは、遠用基準点ＦＶがフィッティングポイントＦＰよりも上方に配置され中間部Ｐを広げており、フィッティングポイントＦＰにおいても加入度が付加されている。
なお、フィッティングポイントＦＰの位置を基準線から外れた位置にする等、適宜構成を変更してもよい。
【００１１】
本実施形態の設計方法では、装用者が中間部Ｐのどの位置において、どの程度の加入度を入れるかについての個別のニーズに基づいて設計する。装用者は、中間距離の対象物、例えばデスクトップ型パーソナルコンピュータ（以下、ＰＣと呼ぶ）のディスプレイ（以下、ＰＣディスプレイと呼ぶ）を累進屈折力レンズＬＳの所定の位置で見たい、あるいは、日常的に当該所定の位置で見ている、等の情報を発注者（たとえば、眼鏡店）に提供する。この所定の位置を、関心位置Ｗ（図１参照）とする。ここで、中間距離とは、遠用部Ｆに対応する屈折力と近用部Ｎに対応する屈折力との間の屈折力に対応する距離である。ＰＣディスプレイの例でも示されるように、上記中間距離の対象物としては、中距離の対象物が好適である。
【００１２】
発注者は、装用者から得た、関心位置Ｗの位置に関する情報、および、関心位置Ｗを通して中間距離の対象物を見る際に必要な加入度に関する情報に基づいて、関心位置Ｗの累進屈折力レンズＬＳ上の位置についてのパラメータ（以下、位置パラメータと呼ぶ）と、関心位置Ｗでの加入度についてのパラメータ（以下、加入度パラメータと呼ぶ）を発注装置に入力し、受注装置へと送る。
【００１３】
関心位置Ｗの位置パラメータは、装用者が中間距離の対象物を見る際の視線方向若しくは該視線方向に基づく値、または、累進屈折力レンズＬＳの前面若しくは後面上で該視線方向が交わる位置の情報が好ましい。さらに、関心位置Ｗの位置パラメータは、フィッティングポイントＦＰと関心位置Ｗとの距離に基づく値が好ましい。
【００１４】
関心位置Ｗでの加入度パラメータは、関心位置Ｗでの加入度、累進屈折力レンズＬＳの全体の加入度に対する関心位置Ｗに付加される加入度の比率（以下、加入度比率と呼ぶ）または装用者が関心位置Ｗにおいて見たい距離若しくは日常見ている対象物の距離が好ましい。これらの距離は、中距離が好適である。例えば、装用者が関心位置Ｗを通して日常的にＰＣディスプレイを見ている場合、ＰＣ使用時に装用者が実際にＰＣディスプレイを見る視距離、または、ＰＣ使用時に一般的に人間がＰＣディスプレイを見る際の平均的な視距離（例えば７０ｃｍ）等を関心位置Ｗでの加入度パラメータとすることができる。また、発注者は、ここで得た中間距離の対象物を見る際の視距離（上記例では７０ｃｍ）をディオプター換算し、加入度（上記例では１．４３Ｄ）または加入度比率（上記例では処方加入度が２．５Ｄの場合、１．４３Ｄ／２．５Ｄ＝０．５７）とすることもできる。また、関心位置Ｗは、フィッティングポイントＦＰより近用部側へ累進帯長の４０％となる位置よりも遠用部側にあることが好ましい。
なお、遠用部Ｆ、近用部Ｎおよび関心位置Ｗに対応して設定する視距離は適宜調整することができる。例えば、遠用部Ｆが少し遠めの中間距離（例えば２ｍ）を含んで対応する屈折力を備え、関心位置Ｗが近距離に近い中距離（例えば６０ｃｍ）に対応する屈折力を備え、近用部Ｎが近距離（例えば３５ｃｍ）に対応する屈折力を備えるように設定する等、適宜調整できる。
【００１５】
発注者から、関心位置Ｗの累進屈折力レンズＬＳ上の位置パラメータと、関心位置Ｗでの加入度パラメータとを受け取った受注者は、これらのパラメータに基づいて、フィッティングポイントＦＰでの加入度を算出することが好ましい。これにより、特に、加入度の勾配変化点がフィッティングポイントＦＰに設定されている場合、設計を効率化することができる。
【００１６】
フィッティングポイントＦＰでの加入度の算出は、基準線上の位置に対応して加入度を設定したグラフにおいて、近用基準点ＮＶと関心位置Ｗとにおける加入度の値に基づいた直線近似等により外挿して行うことができる。例えば、フィッティングポイントＦＰを勾配変化点とし、２本の線分で構成される加入度の折れ線モデルを用いて設計することができる。
【００１７】
図２は、設計段階での累進屈折力レンズＬＳの遠用基準点ＦＶ、フィッティングポイントＦＰ、関心位置Ｗおよび近用基準点ＮＶと、それぞれの点における加入度の関係を示す加入度特性のグラフ９である。すなわち、基準線に沿った加入度を示すグラフである。遠用基準点ＦＶでの加入度を０とする。近用基準点ＮＶで想定される視距離をＤｎ、関心位置Ｗで想定される視距離をＤｗ、装用者の眼の調節力をＣとする。調節力Ｃが０の場合、近用基準点ＮＶでの加入度Ａｎ（ディオプター）はＤｎの逆数、関心位置Ｗでの加入度Ａｗ（ディオプター）はＤｗの逆数となる。
【００１８】
調節力Ｃが０の場合の設計加入度のデータを実線Ｌ１で示す。調節力Ｃが０の場合、フィッティングポイントＦＰから近用基準点ＮＶまでの距離Ｘと近用基準点ＮＶでの加入度Ａｎとから、点Ｐｎの位置が定まる。また、フィッティングポイントＦＰから関心位置Ｗまでの距離Ｕと関心位置Ｗでの加入度Ａｗとから、点Ｐｗの位置が定まる。点Ｐｎと点Ｐｗとを結ぶ直線を外挿し、フィッティングポイントＦＰに対応する点Ｐｆｐが定まる。その結果、フィッティングポイントＦＰでの加入度Ａｆｐが得られる。
【００１９】
調節力Ｃが０でない場合の設計加入度のデータを二点鎖線Ｌ２で示す。調節力Ｃは、近用基準点ＮＶでＣ／２、関心位置Ｗで、Ｃ／３とする。すなわち、近用基準点ＮＶにおいてはＣ／２だけ補正した（弱めた）加入度を設定し、関心位置ＷにおいてはＣ／３だけ補正した（弱めた）加入度を設定する。近用基準点ＮＶに対応する点Ｑｎ（Ｘ，Ａｎ−Ｃ／２）および関心位置Ｗに対応する点Ｑｗ（Ｕ，Ａｗ−Ｃ／３）を結ぶ直線を外挿することで、フィッティングポイントＦＰに対応する点Ｑｆｐが定まる。その結果、フィッティングポイントＦＰでの加入度が得られる。
なお、上記の説明では、調節力Ｃに基づいて近用基準点ＮＶでの加入度および関心位置Ｗでの加入度を補正する際の補正値をそれぞれＣ／２およびＣ／３としたが、条件に合わせて適宜変更することができる。近用基準点ＮＶでの補正値は関心位置Ｗでの補正値より大きく設定することが好ましい。これにより、補正による中間部Ｐ全体の加入度が変則的な特性となることを防ぐことができる。
【００２０】
装用者の調節力Ｃは、処方加入度から推定してもよいし（加入度が小さいと調節力が大きく、加入度が大きいと調節力は小さいと想定する）、店舗等で実測してもよいし、年齢と調節力とを対応させた公知の統計データ、例えばＩｓｈｉｈａｒａの結果（１９１６年）等に基づいて、装用者の年齢から推定してもよい。
【００２１】
フィッティングポイントＦＰでの加入度が得られたら、その値を累進屈折力レンズＬＳ全体の加入度で割ることで、フィッティングポイントＦＰでの加入度比率が得られる。累進屈折力レンズＬＳの設計における加入度特性のグラフ９に基づいて、レンズ面形状が連続性をもつようにレンズ面形状の平滑化処理を行い、最終的な累進屈折力レンズＬＳの形状を決定する。
【００２２】
以下では、本実施形態に係る眼鏡レンズ提供システムについて説明する。本実施形態に係る眼鏡レンズ提供システムは、上述したように装用者の個別のニーズに応じて、中間部Ｐにおける関心位置Ｗの位置や、関心位置Ｗで見る対象物との距離、関心位置Ｗにおける加入度または加入度比率を設定して設計した累進屈折力レンズＬＳを提供することができる。
【００２３】
図３は、本実施形態に係る眼鏡レンズ提供システム１０の構成を示す図である。眼鏡レンズ提供システムは、眼鏡店（発注者）に設置される発注装置１と、レンズメーカに設置される受注装置２、加工機制御装置３、および眼鏡レンズ加工機４と、を含んで構成される。発注装置１と受注装置２とは、例えばインターネット等のネットワーク５を介して通信可能に接続されている。また、受注装置２には、加工機制御装置３が接続されており、加工機制御装置３には眼鏡レンズ加工機４が接続されている。なお、図３では、図示の都合上、発注装置１を１つのみ記載しているが、実際には複数の眼鏡店に設置された複数の発注装置１が受注装置２に接続されている。
【００２４】
発注装置１は、累進屈折力レンズＬＳの発注処理を行うコンピュータであり、制御部１１と、記憶部１２と、通信部１３と、表示部１４と、入力部１５と、を含む。制御部１１は、記憶部１２に記憶されたプログラムを実行することにより、発注装置１を制御する。制御部１１は、累進屈折力レンズＬＳの発注処理を行う発注処理部１１１を備える。通信部１３は、受注装置２とネットワーク５を介して通信を行う。表示部１４は、例えばＣＲＴや液晶ディスプレイ等の表示装置であり、発注する累進屈折力レンズＬＳの情報（発注情報）を入力するための発注画面などを表示する。入力部１５は、例えばマウスやキーボード等を含む。例えば、入力部１５を介して、発注画面の内容に応じた発注情報が入力される。
【００２５】
受注装置２は、累進屈折力レンズＬＳの受注処理や設計処理、光学性能の演算処理等を行うコンピュータであり、制御部２１と、記憶部２２と、通信部２３と、表示部２４と、入力部２５とを含んで構成される。制御部２１は、記憶部２２に記憶されたプログラムを実行することにより、受注装置２を統括して制御する。制御部２１は、累進屈折力レンズＬＳの受注処理を行う受注処理部２１１と、累進屈折力レンズＬＳの設計処理や光学性能の演算処理を行う設計／演算部２１２とを備える。通信部２３は、発注装置１とネットワーク５を介して通信を行ったり、加工機制御装置３と通信を行ったりする。記憶部２２は、眼鏡レンズ設計のための各種データを読み出し可能に記憶する。表示部２４は、例えばＣＲＴや液晶ディスプレイ等の表示装置であり、累進屈折力レンズＬＳの設計結果等を表示する。入力部２５は、例えばマウスやキーボード等を含んで構成される。
【００２６】
次に、眼鏡レンズ提供システム１０において、累進屈折力レンズＬＳを提供する手順について、図４に示すフローチャートを用いて説明する。図４の左側には眼鏡店側で行う手順を示し、図４の右側にはレンズメーカ側で行う手順を示す。眼鏡レンズ提供システム１０における眼鏡レンズの製造方法では、上述の眼鏡レンズ設計方法により眼鏡レンズが設計される。ステップＳ１１において、発注者は、注文する累進屈折力レンズＬＳの発注情報を決定する。そして、発注者は、発注装置１の表示部１４に発注画面を表示させ、入力部１５を介して発注情報を入力する。
【００２７】
図５は、発注画面１００の一例を示す図である。レンズ情報項目１０１では、注文するレンズの商品名、球面度数（Ｓ度数）、乱視度数（Ｃ度数）、乱視軸度、加入度等のレンズ注文度数に関連する項目を入力する。加工指定情報項目１０２は、注文するレンズの外径を指定する場合や、任意点厚さを指定する場合に利用される。染色情報項目１０３は、レンズの色を指定する場合に利用される。フィッティングポイント情報１０４は、装用者の目の位置情報を入力する。基準位置情報項目１０６は、関心位置Ｗの位置を指定するための上述の位置パラメータを示す領域であり、図５の例では基準線上のフィッティングポイントＦＰからの距離（近用側を負とした）を入力する。フレーム情報項目１０９では、フレームモデル名、フレーム種別等を入力する。
【００２８】
発注画面１００には、さらに目的距離情報項目１０５、加入度比率情報項目１０７および調節力情報項目１０８が表示され得る。目的距離情報項目１０５では、関心位置Ｗでの視距離である中間の目的距離、つまり上述の加入度パラメータを入力する。加入度比率情報項目１０７は、発注者側で加入度比率を計算する場合に用いる。加入度比率情報項目１０７は、関心位置Ｗでの加入度比率を指定する上述の加入度パラメータを示す領域であり、所定の範囲（例えば１５〜５０％）で任意の値を入力することができる。調節力情報項目１０８では、年齢等の調節力の指標を入力する。基準位置情報と中間の目的距離とについては、例えば、眼鏡店の販売員が顧客（装用者）のニーズをヒアリングし、顧客のニーズに合った基準位置（関心位置Ｗの指標）および中間の目的距離を決定する。例えば、顧客が中間の目的距離を見る際の視線方向をヒアリングするため、予め指標（以下、下方視線タイプパラメータと呼ぶ）を設定する。下方視線タイプパラメータは、眼鏡上、あるいは眼鏡設計基準上のある位置において０とし、当該位置より上の方に行くに従い＋１、＋２と増加し、当該位置より下の方に行くに従い−１、−２と減少するように設定する。数値と位置との対応は設計上の便宜に合わせ適宜設定することができる。販売員は、顧客に質問等し、顧客が中間の目的距離を見る際の視線方向が、下方視線パラメータのどの値に対応するかを聞き出す。下方視線パラメータは、製品ごとに、例えば、「＋２、＋１、０、−１」の４種類から選択したり、「＋２、＋１．５、＋１、＋０．５、０、−０．５、−１」の７種類から選択する等、設定することができる。下方視線パラメータを用いることにより、設計に幅を持たせ、光学性能が高く、顧客のニーズに合った眼鏡レンズを設計することができる。発注者は基準位置情報として下方視線パラメータまたはこれに基づく値を入力し、発注者に送信することができる。中間の目的距離は、例えば、顧客が日常的にＰＣディスプレイを見る距離を販売員がヒアリングして設定する。
【００２９】
発注者が、図５の発注画面１００の各項目を入力し、送信ボタン（不図示）をクリックすると、発注装置１は、発注画面１００の各項目において入力された情報（発注情報）を取得して、ステップＳ１２に進む。ステップＳ１２において、発注装置１は、当該発注情報を、通信部１３を介して受注装置２へ送信する。
【００３０】
発注装置１において、発注画面１００を表示する処理、発注画面１００において入力された発注情報を取得する処理、当該発注情報を受注装置２に送信する処理については、発注装置１の制御部１１が、記憶部１２に予めインストールされた所定のプログラムを実行することによって行う。
【００３１】
ステップＳ２１において、受注装置２は、通信部２３を介して、発注装置１から発注情報を受信すると、ステップＳ２２に進む。ステップＳ２２において、受注装置２の制御部２１は、受信した発注情報に基づいて累進屈折力レンズＬＳの設計を行う。
【００３２】
図６は、累進屈折力レンズＬＳの設計の手順を示すフローチャートである。ステップＳ２２１において、受注装置２は、累進屈折力レンズＬＳの処方データと、関心位置Ｗの位置および加入度に関する情報を取得する。関心位置Ｗの位置および加入度に関する情報を取得したら、ステップＳ２２３に進む。ステップＳ２２３において、受注装置２は、関心位置Ｗの位置および加入度に関する情報に基づいて、フィッティングポイントＦＰでの加入度を算出し、累進屈折力レンズＬＳの基準線上の加入度特性を決定する。基準線上の加入度特性を決定したら、ステップＳ２２５に進む。
【００３３】
ステップＳ２２５において、受注装置２は、累進屈折力レンズＬＳのレンズ面形状が連続性を有するように平滑化処理を行い、レンズ全体の形状を決定する。レンズ全体の形状が決定されたら、ステップＳ２２７に進む。ステップＳ２２７において、受注装置２は、累進屈折力レンズＬＳの屈折力、非点収差等の光学特性が所望の条件を満たすかを判定する。所望の条件を満たす場合、ステップＳ２２７を肯定判定し、設計処理を終了し、ステップＳ２３（図４参照）に進む。所望の条件を満たさない場合、ステップＳ２２７を否定判定し、ステップＳ２２５に戻る。
【００３４】
図７は、最終的に得られる累進屈折力レンズＬＳの基準線上における加入度を例示するグラフ９を示す図である。実線Ｌで示されるように、設計における平滑化処理により、光学的に不連続な部分が存在しないように滑らかな加入度特性が設定される。二点鎖線Ｌ１は、平滑化処理の前の基準線上の加入度の設計値である。
【００３５】
ステップＳ２３において、受注装置２は、ステップＳ２２で設計した累進屈折力レンズＬＳの設計データを加工機制御装置３に出力する。加工機制御装置３は、受注装置２から出力された設計データに基づいて、眼鏡レンズ加工機４に加工指示を送る。この結果、眼鏡レンズ加工機４によって、当該設計データに基づく累進屈折力レンズＬＳが加工され、製造される。そして、眼鏡レンズ加工機４によって製造された累進屈折力レンズＬＳが眼鏡店に出荷され、眼鏡フレームにはめ込まれて顧客に提供される。
【００３６】
なお、受注装置２において、発注装置１から発注情報を受信する処理、受信した発注情報に基づいて眼鏡レンズを設計する処理、累進屈折力レンズＬＳの設計データを加工機制御装置３に出力する処理については、受注装置２の制御部２１が、記憶部２２に予めインストールされた所定のプログラムを実行することによって行う。
【００３７】
上述の実施の形態によれば、次の作用効果が得られる。
（１）本実施形態の眼鏡レンズの設計方法は、累進屈折力レンズＬＳにおいて、装用者が遠用部Ｆに対応する視距離と近用部Ｎに対応する距離との間の中間距離にある対象物を見る際の視線方向に対応する関心位置Ｗの位置を決定するための位置パラメータと、関心位置Ｗに付加される加入度を決定するための加入度パラメータとが指定され、当該指定された位置パラメータと加入度パラメータに基づいて当該加入度が関心位置Ｗにおいて付加されるように累進屈折力レンズＬＳを設計する。これにより、装用者の個別のニーズに合わせ、累進屈折力レンズＬＳの所望の位置で所望の中間距離にある対象物を好適に見ることができ、眼鏡を買い換えた場合でも、買い替え前の眼鏡と同様に所望の位置で所望の中間距離にある対象物を好適に見ることができる。
【００３８】
（２）本実施形態の眼鏡レンズの設計方法において、位置パラメータとは、装用者の視線方向、または、累進屈折力レンズＬＳおよび該視線方向が交わる点と累進屈折力レンズＬＳのフィッティングポイントＦＰとの距離に基づく値である。これにより、装用者が中間距離の対象物を見る際の視線方向に基づいて適切に加入度を設定することができる。
【００３９】
（３）本実施形態の眼鏡レンズの設計方法において、加入度パラメータとは、累進屈折力レンズＬＳの全体の加入度に対する関心位置Ｗに付加される加入度の比率、装用者が関心位置Ｗにおいて見たい距離、および関心位置Ｗに付加される加入度のいずれかである。これにより、装用者が中間距離の対象物を見る際の視距離に基づいて適切に加入度を設定することができる。
【００４０】
（４）本実施形態の眼鏡レンズの設計方法において、関心位置Ｗを通して見る対象物は、日常的に中間距離を隔てて見るＰＣディスプレイ等の所定の対象物である。これにより、装用者が頻繁に見る対象物に合わせて加入度が調整された累進屈折力レンズＬＳを実現できる。
【００４１】
（５）本実施形態の眼鏡レンズの設計方法において、装用者の調節力に基づいて、位置パラメータおよび加入度パラメータから、フィッティングポイントＦＰにおける加入度を算出する。これにより、装用者の調節力に合わせて加入度が調整された累進屈折力レンズＬＳを実現できる。
【００４２】
（６）本実施形態の眼鏡レンズ発注装置は、累進屈折力レンズＬＳにおいて、装用者が中間距離にある対象物を見る際の視線方向に対応する累進屈折力レンズＬＳの関心位置Ｗを決定するための位置パラメータと、関心位置Ｗに付加される加入度を決定するための加入度パラメータとについて、任意に指定された値を入力する入力部１５を備える。これにより、装用者の個別のニーズに合わせ、所望の位置で所望の中間距離にある対象物を好適に見ることができる累進屈折力レンズＬＳが実現される。
【００４３】
（７）本実施形態の眼鏡レンズ受注装置は、累進屈折力レンズＬＳにおいて、装用者が中間距離にある対象物を見る際の視線方向に対応する累進屈折力レンズＬＳの関心位置Ｗを決定するための位置パラメータと、関心位置Ｗに付加される加入度を決定するための加入度パラメータとについて、任意に指定された値を受信する通信部２３を備え、通信部２３により受信された位置パラメータおよび加入度パラメータに基づいて累進屈折力レンズＬＳを設計する。これにより、装用者の個別のニーズに合わせ、所望の位置で所望の中間距離にある対象物を好適に見ることができる累進屈折力レンズＬＳが実現される。
【００４４】
次のような変形も本発明の範囲内であり、上述の実施形態と組み合わせることが可能である。
（変形例１）
上述した実施形態の発注処理では、発注装置１において所定のプログラムを実行する例で説明したが、この内容に限定する必要はない。例えば、レンズメーカの受注装置２が全ての情報をＷｅｂ画面で提示するようにしてもよい。発注装置１はブラウザソフトをインストールしておくだけでよく、受注装置２から送信されてくるＷｅｂ画面の指示に従って、発注情報を入力するようにすればよい。
【００４５】
（変形例２）
上述の実施形態において、関心部位Ｗは、フィッティングポイントＦＰの近傍より離れた位置にすることができる。フィッティングポイントＦＰの近傍とは、例えば、フィッティングポイントＦＰの位置を含む、フィッティングポイントＦＰから上方に累進帯長の１０％分離れた位置から、フィッティングポイントＦＰから下方に累進帯長の２５％分離れた位置までの範囲内の位置である。これにより、フィッティングポイントＦＰではその特性を生かした設計をするとともに、関心位置Ｗでは中間距離の対象物を好適に見ることができる。
【００４６】
（変形例３）
本実施形態の発注装置１や受注装置２の情報処理機能を実現するためのプログラムをコンピュータにより読み取り可能な記録媒体に記録して、この記録媒体に記録された、上述した発注処理、受注処理および設計処理等に関するプログラムをコンピュータシステムに読み込ませ、実行させてもよい。なお、ここでいう「コンピュータシステム」とは、ＯＳ（Ｏｐｅｒａｔｉｎｇ  Ｓｙｓｔｅｍ）や周辺機器のハードウェアを含むものとする。また、「コンピュータ読み取り可能な記録媒体」とは、フレキシブルディスク、光磁気ディスク、光ディスク、メモリカード等の可搬型記録媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものを含んでもよい。また上記のプログラムは、前述した機能の一部を実現するためのものであってもよく、さらに前述した機能をコンピュータシステムにすでに記録されているプログラムとの組み合わせにより実現するものであってもよい。
【００４７】
また、ＰＣ等に適用する場合、上述した制御に関するプログラムは、ＣＤ−ＲＯＭなどの記録媒体やインターネット等のデータ信号を通じて提供することができる。図８はその様子を示す図である。ＰＣ９５０は、ＣＤ−ＲＯＭ９５３を介してプログラムの提供を受ける。また、ＰＣ９５０は通信回線９５１との接続機能を有する。コンピュータ９５２は上記プログラムを提供するサーバーコンピュータであり、ハードディスク等の記録媒体にプログラムを格納する。通信回線９５１は、インターネット、パソコン通信などの通信回線、あるいは専用通信回線などである。コンピュータ９５２はハードディスクを使用してプログラムを読み出し、通信回線９５１を介してプログラムをＰＣ９５０に送信する。すなわち、プログラムをデータ信号として搬送波により搬送して、通信回線９５１を介して送信する。このように、プログラムは、記録媒体や搬送波などの種々の形態のコンピュータ読み込み可能なコンピュータプログラム製品として供給できる。
【００４８】
本発明は上記実施形態の内容に限定されるものではない。本発明の技術的思想の範囲内で考えられるその他の態様も本発明の範囲内に含まれる。
【符号の説明】
【００４９】
１…発注装置、２…受注装置、９…加入度特性グラフ。１０…眼鏡レンズ提供システム、１１…発注装置の制御部、１３…発注装置の通信部、２１…受注装置の制御部、２３…受注装置の通信部。
【図１】
0006696792.tif 000002
【図２】
0006696792.tif 000003
【図３】
0006696792.tif 000004
【図４】
0006696792.tif 000005
【図５】
0006696792.tif 000006
【図６】
0006696792.tif 000007
【図７】
0006696792.tif 000008
【図８】
0006696792.tif 000009